(57)【要約】【課題】棒状のプラグを備えたケーブル部材に対して、ケーブル部材の抜けを確実に防止するケーブル抜け防止構造を提供する。【解決手段】一端に電子部品、他端にアダプタに接続する棒状のプラグが取り付けられたケーブルからなるケーブル部材と、一端が、プラグの接続部近傍に設けられた前記アダプタの取り付け部に取り付けられ、他端が前記ケーブル部材のケーブルに付着する抜け防止部材と、を備え、前記プラグの長さより前記抜け防止部材の長さを短くしたことを特徴とする。【選択図】図１
2010287981.tif 000002
【特許請求の範囲】
【請求項１】
一端に電子部品、他端に、アダプタに接続する棒状のプラグが取り付けられたケーブルからなるケーブル部材と、
一端が、プラグの接続部近傍に設けられた前記アダプタの取り付け部に取り付けられ、他端が前記ケーブル部材のケーブルに付着する規制部材と、を備え、
前記プラグの長さより前記規制部材の長さを短くしたことを特徴とするケーブル抜け防止構造。
【請求項２】
一端に第１の電子部品、他端に、アダプタに接続する第１の棒状のプラグが取り付けられた第１のケーブルからなる第１のケーブル部材と、
一端が前記第１の棒状のプラグに取り付けられ、他端に第１のジャックが取り付けられた連結ケーブルと、
一端に第２の電子部品、他端に、前記第１のジャック接続する第２の棒状のプラグが取り付けられた第１のケーブルからなる第２のケーブル部材と、
一端が、前記第１の棒状プラグの接続部近傍に設けられた前記アダプタの取り付け部に取り付けられ、他端が前記第１のケーブルに付着する第１の規制部材と、
一端が前記第１の規制部材に取り付けられた第２の規制部材と、
一端が前記第２のケーブルに付着し、他端が前記第２の規制部材に取り付けられた第３の規制部材と、
一端が前記連結ケーブルに付着し、他端が前記第２の規制部材の他端に取り付けられた第４の規制部材と、を備え、
前記第１の棒状のプラグの長さより前記第１の規制部材の長さを短くし、前記第１ジャックと前記第２のプラグの合計の長さより、前記第３の規制部材と前記第４の規制部材の合計の長さを短くしたことを特徴とするケーブル抜け防止構造。
【請求項３】
一端に第１の電子部品、他端に、アダプタに接続する第１の棒状のプラグが取り付けられた第１のケーブルからなる第１のケーブル部材と、
一端が前記第１の棒状のプラグに取り付けられ、他端に第１のジャックが取り付けられた連結ケーブルと、
一端に第２の電子部品、他端に、前記第１のジャック接続する第２の棒状のプラグが取り付けられた第１のケーブルからなる第２のケーブル部材と、
一端が、前記第１の棒状プラグの接続部近傍に設けられた前記アダプタの取り付け部に取り付けられ、他端が前記第１のケーブルに付着する第１の規制部材と、
一端が前記第１の規制部材に取り付けられた第２の規制部材と、
一端が前記第２のケーブルに付着し、他端が前記第２の規制部材に取り付けられた第３の規制部材と、
一端が前記連結ケーブルに付着し、他端が前記第２の規制部材の他端に取り付けられた第４の規制部材と、を備え、
前記第１の棒状のプラグの長さより前記第１の規制部材の長さを短くし、
前記第１ジャックと前記第２のプラグの合計の長さより、前記第３の規制部材と前記第４の規制部材の合計の長さを短くし、
前記第１の棒状のプラグ、前記連結ケーブル、前記第１のジャック、前記第２の棒状のプラグの合計の長さより、前記第１、第２、第３の規制部材の合計の長さを短くした、
ことを特徴とするケーブル抜け防止構造。
【請求項４】
前記第４の規制部材の一端をナス環としたことを特徴とする請求項３記載のケーブル抜け防止構造。
【請求項５】
第１の規制部材の破断力より第１のケーブルの破断力を大きくし、前記第１の規制部材および第２、第３の規制部材の破断力より前記第２のケーブルの破断力を大きくしたことを特徴とする請求項３に記載のケーブル抜け防止構造。
【発明の詳細な説明】
【技術分野】
【０００１】
本発明は、無線機等の電子機器に接続されるマイクケーブル等の抜け防止構造に関するものである。
【背景技術】
【０００２】
従来、この種のケーブル抜け止め防止構造は、筐体とマイク用ケーブルとの間をナス環等で接続しておくことにより、ケーブルの引っ張りに対し、プラグの抜けを防止していた。
【０００３】
第１０図は従来のケーブル抜け防止構造を示している。第１０図において、１１は掛け金具であり、筐体１２に固定されている。１３はジャックであり、筐体１２に設けられている。１４はリングであり、ケーブル１５を通され、ナス環１６と連結されている。１７はＬ字状プラグであり、ケーブル１５の先端に設けられている。
【０００４】
次に上記従来例の動作について説明する。上記従来例において、ケーブル１５が引張られると、ケーブル１５に通したリング１４等の接続手段によりナス環１６はジャック１３に近接して設けられた掛け金具１１によって固定される。このように、上記従来例によれば、ケーブル１５は引張られても、ケーブル１５に通したリング１４とナス環１６が、掛け金具１１によって引張りが規制され、ケーブル１５の先端に設けられたプラグ１７が引張られても外れない。
【先行技術文献】
【特許文献】
【０００５】
【特許文献１】実公平３−２２９３９号公報
【発明の概要】
【発明が解決しようとする課題】
【０００６】
しかしながら、上記従来例では、Ｌ字状プラグを対象としており、棒状のプラグに対して抜けを十分防止することは困難であった。また、複数のケーブル部材に対しては何ら考慮されていなかった。
【課題を解決するための手段】
【０００７】
本発明は上記課題を解決するものであり、一端に電子部品、他端に、アダプタに接続する棒状のプラグが取り付けられたケーブルからなるケーブル部材と、一端が、プラグの接続部近傍に設けられた前記アダプタの取り付け部に取り付けられ、他端が前記ケーブル部材のケーブルに付着する規制部材と、を備え、前記プラグの長さより前記規制部材の長さを短くしたことを特徴とする構成としたものである。
【発明の効果】
【０００８】
本発明のケーブル抜け防止構造によれば、棒状のプラグの抜けを確実に防止することができるという格別の効果を有する。
【図面の簡単な説明】
【０００９】
【図１】本発明の一実施例によるケーブル抜け止め防止構造の斜視図
【図２】ケーブル抜け止め防止構造の分解斜視図
【図３】ケーブル抜け止め防止構造の第１の組み立て図
【図４】ケーブル抜け止め防止構造の第２の組み立て図
【図５】ケーブル抜け止め防止構造の第３の組み立て図
【図６】ケーブル抜け止め防止構造の第４の組み立て図
【図７】各部品の寸法関係を示す斜視図
【図８】請求項１に対応する各部品の寸法関係を示す斜視図
【図９】請求項２に対応する各部品の寸法関係を示す斜視図
【図１０】従来のケーブル抜け止め防止構造の斜視図
【発明を実施するための形態】
【００１０】
図１は本発明の一実施例によるケーブル抜け防止構造の斜視図、図２は同実施例の分解斜視図である。
【００１１】
図２において、マイクアダプタ（第１の電子部品）２０は、ケーブル２１の一端に無線機本体用接続ジャック２２が取り付けられ、他端にはアダプタ本体２３が取り付けられている。アダプタ本体２３には、ボールチェーン（第１の規制部材）３５を取り付けるための取り付け部２４が、本体用ジャック２５の近傍に設けられている。
【００１２】
抜け止め防止部材３０は、リング部（第３の規制部材）３１、ナス環（第４の規制部材）３２、ケーブル（第２の規制部材）３３のそれぞれの一端が連結部３４で連結されている。ケーブル（第２の規制部材）３３の他端には、ボールチェーン（第１の規制部材）３５が連結されている。
第１のケーブル部材４０は、電子部品であるマイク（第１の電子部品）４５と棒状の第１のプラグ４１とを連結した第１のケーブル４２と、棒状の第１のプラグ４１と第１のジャック４４とを連結した連結ケーブル４３から構成されている。
また、第２のケーブル部材５０は、マイク（第２の電子部品）５３と第１のケーブル部材４０の第１のジャック４４に接続する第２の棒状プラグ５１とを連結した第２のケーブル５２から構成されている。
【００１３】
次に、図３から図５を用いて、ケーブル抜け防止構造の組み立て方法について説明する。
【００１４】
図３において、先ず、ボールチェーン３５をボールチェーンコネクタから外し、アダプタ２０の取り付け部２４に通し、ボールチェーン３５をボールチェーンコネクタに取付ける。
次に、ボールチェーン（第１の規制部材）３５に第１のケーブル部材４０の第１の棒状のプラグ４１を通過させ、第１のジャック４４もボールチェ−ン（第１の規制部材）３５を通過させる。このとき、ボールチェーン（第１の規制部材）３５を通っているのは、第１のケーブル４２のみである。
【００１５】
そして、図４のように、第１のプラグ４１をアダプタ本体２３の本体用ジャック２５に接続する。その後、抜け止め防止部材３０のナス環（第４の規制部材）３２を第１のジャック４４の根本の連結ケーブル４３に取り付ける。
【００１６】
図５のように、第２のケーブル部材５０の第２のプラグ５１を、抜け止め防止部材３０のリング部（第３の規制部材）３１のリングに通過させる。そして、第６図のように、第２のプラグ５１と第１のジャック４４を接続することにより、第１のケーブル部材４０と第２のケーブル部材５０とを接続する。
【００１７】
このように組み立てることにより、図１のようになり、組み立て完成である。図７は、図１における各部品の寸法関係を示す斜視図である。
【００１８】
図７において、第１のプラグ４１と第１のジャック４４と第２のプラグ５１と第２のケーブル４０の合計の長さ「Ａ＋Ｆ＋Ｃ」より、第１の抜け防止部材と第２の抜け防止部材との合計の長さ「Ｅ」の長さを短くしているので、第２のコード５２を引っ張った場合、第１のプラグ４１はアダプタ本体２３に押し付ける方向に力が働き、かつ、第２のプラグ５１もジャック４４に押しつける方向に力が働き、それぞれがより強固に接続され、複数のケーブル部材の抜けを防止することができる。
図８は、請求項１に対応する各部品の寸法関係を示す斜視図である。図８において、アダプタ本体２３に、第１のプラグ４１とボールチェーン（第１の規制部材）３５を取り付け、第１のコード４２をボールチェーン（第１の規制部材）３５に通した状態で、第１のプラグ４１の長さ「Ａ」より、ボールチェーン（第１の規制部材）３５の長さ「Ｂ」を短くしているので、第１のコード４２を引っ張った場合、第１のプラグ４１はアダプタ本体２３に押し付ける方向に力が働くため、より強固に接続され、第１のプラグ４１がアダプタ本体２３から抜け出すことを確実に防止することができる。
図９は請求項２に対応する各部品の寸法関係を示す斜視図である。図９において、第１のジャック４４と第２のプラグ５１を接続し、第１のジャック４４の根本にナス環（第４の規制部材）３２を取り付け、ナス環（第４の規制部材）３２と連結部３４を介して連結されたリング部（第３の規制部材）３１に第２のケーブル５２を通した状態で、第１のジャック４４と第２のプラグ５１の合計の長さ「Ｃ」より、第３の規制部材３１と第４の規制部材３２の合計の長さ「Ｄ」の長さを短くしているので、第３のコード５２を引っ張った場合、第３の規制部材部３１と第３の規制部材３２とによって、第１のジャック４４と第２のプラグ５１を挟みつけることになり、第１のジャック４４と第２のプラグ５１はリング部３１から抜け出すことはない、という効果を有する。
また、本願発明の抜け防止構造では、２つのケーブル部材を直列に接続しているため、１個の抜け防止部材３０をアダプタ本体２３に取り付けるだけでよいので、省スペースになるという効果を有する。
【００１９】
また、ケーブル部材のケーブルの破断力を第２の抜け防止部材の破断力よりも大きくし、第２の抜け防止部材の破断力を第１の抜け防止部材の破断力よりも大きくすることにより、ケーブルが破断する前に、抜け防止部材が破断し、ケーブル部材がアダプタより抜けることで、ケーブル部材の断線を回避することが可能となる。
【産業上の利用可能性】
【００２０】
本発明は、無線機等の電子機器に接続される２個のケーブル部材に使用される、ケーブル等の抜け止めに利用することができる。
【符号の説明】
【００２１】
２０    マイクアダプタ
３０    抜け止め防止部材
４０    第１のケーブル部材
５０    第２のケーブル部材
【図１】
2010287981.tif 000003
【図２】
2010287981.tif 000004
【図３】
2010287981.tif 000005
【図４】
2010287981.tif 000006
【図５】
2010287981.tif 000007
【図６】
2010287981.tif 000008
【図７】
2010287981.tif 000009
【図８】
2010287981.tif 000010
【図９】
2010287981.tif 000011
【図１０】
2010287981.tif 000012